【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
患者の胸部上で手技を実施するための撮像システムであって、
前記撮像システムは、前記患者の胸部を圧迫するためのパドルを備え、
前記撮像システムは、
第１の画像を得るための第１のエネルギーと、第２の画像を得るための第２のエネルギーとにおいて、Ｘ線源を用いて、前記胸部を撮像することと、
前記第１の画像および前記第２の画像から、合成画像を生成することと、
前記合成画像を表示することと、
前記合成画像上の着目領域を標的にすることと
を行うために構成されており、
生検は、前記標的にされた着目領域に基づいて標的場所上で実施される、システム。
【請求項２】
前記合成画像からの情報は、前記標的場所を画定するために使用される、請求項１に記載のシステム。
【請求項３】
前記標的場所上で前記生検を実施した後に、前記撮像システムは、第３の画像を得るための第３のエネルギーにおいて、前記Ｘ線源を用いて、前記胸部を撮像するために使用される、請求項１〜２のうちのいずれか１項に記載のシステム。
【請求項４】
前記着目領域を標的にすることは、
前記第１の画像内で見える前記着目領域を識別することと、
前記着目領域を、前記第２の画像内で見える参照物体と相関させることと
を含む、請求項１〜３のうちのいずれか１項に記載のシステム。
【請求項５】
前記撮像システムは、インジケータを、前記合成画像上の前記着目領域に近接して配置するためにさらに構成されている、請求項１〜４のうちのいずれか１項に記載のシステム。
【請求項６】
前記撮像システムは、前記着目領域の座標を記憶するためにさらに構成されている、請求項１〜５のうちのいずれか１項に記載のシステム。
【請求項７】
生検針は、少なくとも部分的に、前記記憶された座標に基づいて位置付けられている、請求項６に記載のシステム。
【請求項８】
前記第１のエネルギーにおいて撮像することに先立って、患者は、造影剤を注入され、それにより、前記造影剤が前記第１の画像内で見える、請求項１〜７のうちのいずれか１項に記載のシステム。
【請求項９】
前記第１のエネルギーは、前記第２のエネルギーを上回る、請求項１〜８のうちのいずれか１項に記載のシステム。
【請求項１０】
前記合成画像は、２Ｄ画像、３Ｄ画像、および合成２Ｄ画像のうちの少なくとも１つである、請求項１〜９のうちのいずれか１項に記載のシステム。
【請求項１１】
前記合成画像は、複数のトモシンセシス画像を含む、請求項１〜１０のうちのいずれか１項に記載のシステム。
【請求項１２】
前記撮像システムは、前記第１の画像および前記第２の画像を同時に表示するためにさらに構成されている、請求項１〜１１のうちのいずれか１項に記載のシステム。
【請求項１３】
前記撮像システムは、前記第１の画像および前記第２の画像のオーバーレイを表示するためにさらに構成されている、請求項１〜１２のうちのいずれか１項に記載のシステム。
【請求項１４】
患者の胸部上で手技を実施する撮像システムであって、
前記撮像システムは、前記胸部を圧迫するための、前記撮像システムのパドルを備え、
前記撮像システムは、
第１の画像を得るための第１のエネルギーにおいて、Ｘ線源を用いて、前記胸部を撮像することと、
第２の画像を得るための第２のエネルギーにおいて、前記Ｘ線源を用いて、前記胸部を撮像することと、
前記第１の画像と前記第２の画像との間の少なくとも１つの差異を識別することであって、前記差異は、着目領域に対応する、ことと
を行うために構成されており、
生検は、前記着目領域上で実施される、システム。
【請求項１５】
前記撮像システムは、
前記第１の画像および前記第２の画像から、合成画像を生成することと、
前記合成画像を表示することと、
前記合成画像上の前記着目領域を表示することと
を行うためにさらに構成されている、請求項１４に記載のシステム。
【請求項１６】
前記第１のエネルギーは、前記第２のエネルギーを上回る、請求項１４〜１５のうちのいずれか１項に記載のシステム。
【請求項１７】
前記第１のエネルギーにおいて前記胸部を撮像することに先立って、前記患者は、造影剤を注入され、それにより、前記造影剤が前記第１の画像内で見える、請求項１４〜１６のうちのいずれか１項に記載のシステム。
【請求項１８】
前記生検を実施した後に、前記撮像システムは、第３の画像を得るための第３のエネルギーにおいて、前記Ｘ線源を用いて、前記胸部を撮像するために構成される、請求項１４〜１７のうちのいずれか１項に記載のシステム。
【請求項１９】
前記撮像システムは、前記第３の画像を表示するためにさらに構成されている、請求項１８に記載のシステム。
【請求項２０】
患者の胸部上で手技を実施する撮像システムであって、
前記システムは、前記胸部を圧迫するための、前記撮像システムのパドルを備え、
前記撮像システムは、
複数の画像を得るように、複数のＸ線エネルギーを、Ｘ線源から前記胸部に送達することと、
前記複数の画像間の少なくとも１つの差異を識別することであって、前記差異は、着目領域に対応する、ことと、
前記胸部の少なくとも１つの画像を表示することと、
前記表示された画像上の前記着目領域を識別することと
を行うために構成されており、
生検は、前記着目領域上で実施される、システム。
【手続補正２】
【補正対象書類名】明細書
【補正対象項目名】００１４
【補正方法】変更
【補正の内容】
【００１４】
別の側面では、本技術は、患者の胸部上で手技を実施する方法に関し、本方法は、撮像システムのパドルを用いて、患者の胸部を圧迫するステップと、複数の画像を得るように、複数のＸ線エネルギーを、Ｘ線源から胸部に送達するステップと、複数の画像間の少なくとも１つの差異を識別するステップであって、差異は、着目領域に対応する、ステップと、胸部の少なくとも１つの画像を表示するステップと、表示された画像上の着目領域を識別するステップと、着目領域上で生検を実施するステップとを含む。
本願明細書は、例えば、以下の項目も提供する。
（項目１）
患者の胸部上で手技を実施する方法であって、
撮像システムのパドルを用いて、前記患者の胸部を圧迫するステップと、
前記患者の胸部上で初期撮像手技を実施するステップであって、前記初期撮像手技は、第１の画像を得るための第１のエネルギーと、第２の画像を得るための第２のエネルギーとにおいて、Ｘ線源を用いて、前記胸部を撮像することを含む、ステップと、
前記第１の画像および前記第２の画像から、合成画像を生成するステップと、
前記合成画像を表示するステップと、
前記合成画像上の着目領域を標的にするステップと、
標的場所上で生検を実施するステップと、
を含む、方法。
（項目２）
前記標的場所を画定するために、前記合成画像からの情報を使用する、項目１に記載の方法。
（項目３）
前記標的場所上で前記生検を実施するステップの後に、第３の画像を得るための第３のエネルギーにおいて、前記Ｘ線源を用いて、前記胸部を撮像するステップをさらに含む、前記項目のいずれか１項に記載の方法。
（項目４）
前記着目領域を標的にするステップは、
前記第１の画像内で見える前記着目領域を識別することと、
前記着目領域を、前記第２の画像内で見える参照物体と相関させることと、
を含む、前記項目のいずれか１項に記載の方法。
（項目５）
インジケータを、前記合成画像上の前記着目領域に近接して配置するステップをさらに含む、前記項目のいずれか１項に記載の方法。
（項目６）
前記着目領域の座標を記憶するステップをさらに含む、前記項目のいずれか１項に記載の方法。
（項目７）
少なくとも部分的に、前記記憶された座標に基づいて、生検針を位置付けるステップをさらに含む、項目６に記載の方法。
（項目８）
前記第１のエネルギーにおいて撮像することに先立って、前記患者に、造影剤を、前記造影剤が前記第１の画像内で見えるように、注入することをさらに含む、前記項目のいずれか１項に記載の方法。
（項目９）
前記第１のエネルギーは、前記第２のエネルギーを上回る、前記項目のいずれか１項に記載の方法。
（項目１０）
前記合成画像は、２Ｄ画像、３Ｄ画像、および合成２Ｄ画像のうちの少なくとも１つである、前記項目のいずれか１項に記載の方法。
（項目１１）
前記合成画像は、複数のトモシンセシス画像を含む、前記項目のいずれか１項に記載の方法。
（項目１２）
前記第１の画像および前記第２の画像を同時に表示するステップをさらに含む、前記項目のいずれか１項に記載の方法。
（項目１３）
前記第１の画像および前記第２の画像のオーバーレイを表示するステップをさらに含む、前記項目のいずれか１項に記載の方法。
（項目１４）
患者の胸部上で手技を実施する方法であって、
撮像システムのパドルを用いて、前記患者の胸部を圧迫するステップと、
第１の画像を得るための第１のエネルギーにおいて、Ｘ線源を用いて、前記胸部を撮像するステップと、
第２の画像を得るための第２のエネルギーにおいて、前記Ｘ線源を用いて、前記胸部を撮像するステップと、
前記第１の画像と前記第２の画像との間の、少なくとも１つの差異を識別するステップであって、前記差異は、着目領域に対応する、ステップと、
前記着目領域上で生検を実施するステップと、
を含む、方法。
（項目１５）
前記第１の画像および前記第２の画像から、合成画像を生成するステップと、
前記合成画像を表示するステップと、
前記合成画像上の前記着目領域を表示するステップと、
をさらに含む、項目１４に記載の方法。
（項目１６）
前記第１のエネルギーは、前記第２のエネルギーを上回る、項目１４〜１５のいずれか１項に記載の方法。
（項目１７）
前記第１のエネルギーにおいて前記胸部を撮像するステップに先立って、前記患者に、造影剤を注入するステップをさらに含む、項目１４〜１６のいずれか１項に記載の方法。
（項目１８）
前記生検を実施するステップの後に、第３の画像を得るための第３のエネルギーにおいて、前記Ｘ線源を用いて、前記胸部を撮像するステップをさらに含む、項目１４〜１７のいずれか１項に記載の方法。
（項目１９）
前記第３の画像を表示するステップをさらに含む、項目１８に記載の方法。
（項目２０）
患者の胸部上で手技を実施する方法であって、
撮像システムのパドルを用いて、前記患者の胸部を圧迫するステップと、
複数の画像を得るように、複数のＸ線エネルギーを、Ｘ線源から前記胸部に送達するステップと、
前記複数の画像間の少なくとも１つの差異を識別するステップであって、前記差異は、着目領域に対応する、ステップと、
前記胸部の少なくとも１つの画像を表示するステップと、
前記表示された画像上の前記着目領域を識別するステップと、
前記着目領域上で生検を実施するステップと、
を含む、方法。